(57)【要約】【課題】配電用変圧器のブッシング装置において、碍管の頭部に設けるキャップの落下を防止する。【解決手段】キャップを碍管側構体側に繋いでおくキャップ繋止部材を備えた構成とし、該キャップ繋止部材としては、（１）少なくとも表面を弾性を有する部材で構成され、キャップに接続される第１の部分と、キャップと碍管側構体との結合部に密着し該結合部をシールして碍管内空間の気密性を保持する環状の第２の部分と、該第１の部分と該第２の部分とを接続する第３の部分とを有した構成、または、（２）螺旋状のばねで一体状に構成され、キャップ外周の環状の凹部に隙間をもって係合される第１の部分と、碍管外周の環状の凹部に係合される第２の部分と、該第１の部分と該第２の部分とを接続する第３の部分とを有した構成とする。【選択図】図２
2009238441.tif 000002
【特許請求の範囲】
【請求項１】
配電用変圧器のケースに固定され該変圧器の端子部と外部電線とを接続するブッシング装置であって、
絶縁材で構成され、上記変圧器の端子部と上記外部電線とを接続する接続部を収納する空間が形成された碍管と、
上記碍管の頭部を覆い該碍管を含む該碍管側構体に対して着脱可能なキャップと、
少なくとも表面が弾性を有する部材で構成され、上記キャップに接続される第１の部分と、該キャップと上記碍管側構体との結合部に密着する環状の第２の部分と、該第１の部分と該第２の部分とを接続する第３の部分とを有し、該キャップを該碍管側構体側に繋止するとともに、上記碍管の上記空間の気密性を保持するように上記第２の部分により上記結合部をシールするキャップ繋止部材と、
を備えたことを特徴とするブッシング装置。
【請求項２】
上記キャップ及び上記碍管側構体はそれぞれ、中心軸に同心状にねじが設けられ、
上記キャップは、上記ねじ相互間の係合、非係合により、上記碍管側構体に対し着脱される構成である請求項１に記載のブッシング装置。
【請求項３】
上記キャップは、外周に環状の凹部を備え、上記キャップ繋止部材の上記第１の部分が該凹部内にはめ込まれることで該キャップ繋止部材が該キャップに接続され、
上記碍管側構体は、上記碍管に同心状に設けられたねじ部材の外周に半径方向に突出した凸部を備え、上記キャップ繋止部材の上記第２の部分が該凸部に対し上記碍管側に配された構成である請求項１または請求項２に記載のブッシング装置。
【請求項４】
上記キャップ繋止部材は、上記第１、第２、第３の部分が、芯線が上記弾性を有する部材で覆われて成る被覆線材で一体状に形成された構成である請求項１、２または３に記載のブッシング装置。
【請求項５】
上記キャップ繋止部材は、上記芯線が耐食性の金属で構成される請求項４に記載のブッシング装置。
【請求項６】
配電用変圧器のケースに固定され該変圧器の端子部と外部電線とを接続するブッシング装置であって、
絶縁材で構成され、外周に環状の凹部を有し、上記変圧器の端子部と上記外部電線とを接続する接続部を収納する空間が形成された碍管と、
外周に環状の凹部を有し、上記碍管を含む碍管側構体に対して着脱可能に構成され、上記碍管の頭部を覆うキャップと、
螺旋状のばねで一体状に構成され、上記キャップの上記凹部に隙間をもって係合される第１の部分と、上記碍管の上記凹部に係合される第２の部分と、該第１の部分と該第２の部分とを接続する第３の部分とを有するキャップ繋止部材と、
を備えたことを特徴とするブッシング装置。
【請求項７】
上記キャップ繋止部材は、耐食性の金属で構成される請求項６に記載のブッシング装置。
【請求項８】
請求項１から７のいずれかに記載のブッシング装置を備えて成ることを特徴とする配電用変圧器。
【発明の詳細な説明】
【技術分野】
【０００１】
本発明は、配電用変圧器の高圧側コイルを接続するブッシング装置に係り、特に、キャップを有し碍管内に端子接続部が収納される端子収納型のブッシング装置の構成に関する。
【背景技術】
【０００２】
従来、端子収納型ブッシング装置は、例えば図８に示すように、セラミック等の絶縁材で構成された碍管１０'の内部に、外部電線と変圧器端子を接続する接続部が収納されている。碍管１０'の頭部には該碍管１０'に対して着脱可能なキャップ１１'が設けられている。接続部は、押え金具１２'、端子金具１３'及びボルト１４'を有して構成される。端子金具１３'は変圧器端子のリード線１６'側に接続されている。外部電線の芯線５０'は、押え金具１２'の先端面と端子金具１３'の支持面との間のギャップｇ'内にはさまれて該接続部に接続される。すなわち、ボルト１４'の回転により、押え金具１２'を−Ｚ軸方向に押し下げ、該押え金具１２'の先端面と端子金具１３'の支持面との間のギャップｇ'を縮小させて芯線５０'をはさみ込み固定する。該固定によって、外部電線と変圧器端子が接続される。１０ａ'は、碍管１０'の頭部側部分、１０ｂ'は、碍管１０'の根元側部分、２１'、２３'は、碍管１０'内の空間の気密性を保持するためのパッキン材、１１１'は、キャップ１１'側のねじ部材、１０１'は、碍管１０'側のねじ部材、４０'はゴム栓、４０１'は、ゴム栓４０'に設けられた貫通孔、２００'は、ブッシング装置１'が固定される配電用変圧器のケース、１６'は、配電用変圧器の端子部のリード線である。外部電線の先端部は、ゴム栓４０'の貫通孔４０１'を通って碍管１０'内に導入される。キャップ１１'は、ねじ部材１１１'、１０１'間の係合、非係合により、碍管側構体に対して着脱される。
【０００３】
また、本発明に関連した従来技術であって特許文献に記載された技術としては、例えば、特開平５−２１７７５６号公報（特許文献１）や実願昭６２−１２９８４０号（実開昭６４−３４７２０号）のマイクロフィルム（特許文献２）に記載されたものがある。特開平５−２１７７５６号公報には、既設の柱上トランスブッシングの耐塩化技術として、柱上トランスブッシングのスカート部開口縁とノブとの間隙を粘着帯状部材で閉塞するとともに、切欠から注入管を挿入し、切欠内面と高圧引下げ線との間隙に耐候性の絶縁パテをつめて閉塞し、上記注入管からスカート部内に経時硬化性の液状コンパウンドを注入充填する構成が記載され、実願昭６２−１２９８４０号（実開昭６４−３４７２０号）のマイクロフィルムには、柱上変圧器等の電気機器に用いるブッシング装置として、碍管の壁部を貫通させて外部電線と相似な断面形状の外部電線挿通孔を設け、かつ、外部電線接続具を、外部電線の芯線を貫通させる芯線ガイド孔を有する芯線ガイド部と、端子金具と、芯線ガイド孔を通した芯線を端子金具との間に挟んで押える押え金具と、押え金具を端子金具に対して締付けるネジ手段とで構成し、さらに、碍管の開口部をネジ手段とは切離された碍子キャップで閉塞するとした構成の装置が記載されている。
【０００４】
【特許文献１】特開平５−２１７７５６号公報
【特許文献２】実願昭６２−１２９８４０号（実開昭６４−３４７２０号）のマイクロフィルム
【発明の開示】
【発明が解決しようとする課題】
【０００５】
上記従来技術においてはいずれも、例えば、ブッシング装置が、路上の電柱に設置された配電用変圧器に組み込まれている場合、外部電線と変圧器端子の接続やその解除の作業を行うとき、作業者はキャップを取外した後、近くの位置に置いておき、作業後には、該位置から移動させて再び碍管側に装着することになり、作業者は、キャップの取外し、作業位置近傍での保管、装着などを行うときに誤って該キャップを路上などに落としてしまい易い。キャップを落としてしまった場合、落ちたキャップは、路上の通行者や車両などの上に落下して、通行者をけがさせたり、車両などを傷つけたりすることがあるし、また、キャップ自体が、路上に落下する衝撃で破損したりすることもある。さらに、作業者は、キャップを落とさないように注意しながら作業を行う必要があり、作業の安全性が阻害される。
【０００６】
本発明の課題点は、上記従来技術の状況に鑑み、配電用変圧器のブッシング装置において、キャップを取外したとき、該キャップが落下しないようにすることである。
【０００７】
本発明の目的は、上記課題点を解決し、配電用変圧器のブッシング装置において、外部電線と変圧器端子の接続やその解除を行う際、安全な状態で作業を行うことができるブッシング装置及び配電用変圧器を提供することにある。
【課題を解決するための手段】
【０００８】
上記課題点を解決するために、本発明では、配電用変圧器のブッシング装置において、碍管の頭部を覆うキャップを取外したとき、該キャップが落下しないように、該キャップを碍管側構体側に繋いでおくキャップ繋止部材を備えた構成とする。キャップ繋止部材としては、（１）少なくとも表面を弾性を有する部材で構成され、キャップに接続される第１の部分と、キャップと碍管側構体との結合部に密着し該結合部をシールして碍管内空間の気密性を保持する環状の第２の部分と、該第１の部分と第２の部分とを接続する第３の部分とを有した構成とする。また、（２）螺旋状のばねで一体状に構成され、キャップ外周の環状の凹部に隙間をもって係合される第１の部分と、碍管外周の環状の凹部に係合される第２の部分と、該第１の部分と第２の部分とを接続する第３の部分とを有した構成とする。
【発明の効果】
【０００９】
本発明によれば、配電用変圧器のブッシング装置またはこれを備えた配電用変圧器において、外部電線と変圧器端子の接続や接続解除、または保守・点検等の作業の際に、碍管側から取外したキャップを落下させてしまうことをなくすことができ、該落下によって人や物を傷つける危険性やキャップ自体が破損することなどを排除できるとともに、作業者自身も該作業を安全な状態で行うことができるようになる。
【発明を実施するための最良の形態】
【００１０】
以下、本発明の実施例につき、図面を用いて説明する。
【００１１】
図１〜図５は、本発明の第１の実施例の説明図である。図１は、本発明の第１の実施例としてのブッシング装置の外観図、図２は、図１のブッシング装置の内部構成図、図３は、図１のブッシング装置におけるキャップの構成図、図４は、図１のブッシング装置における碍管側構体のねじ部材の構成図、図５は、図１のブッシング装置におけるキャップ繋止部材の構成図である。
【００１２】
図１において、１ａは本発明の第１の実施例としてのブッシング装置、１０は、例えばセラミックなどの絶縁材で構成された碍管、１０ａは、碍管１０の頭部側部分、１０ｂは、碍管１０の根元側部分である。碍管１０には、配電用変圧器の端子部と外部電線とを接続する接続部を収納する空間が形成されている。１１は、碍管１０の頭部すなわち碍管１０の頭部側部分１０ａの先端部を覆い該碍管１０を含む碍管側構体に対して着脱可能にされたキャップ、１１５は、キャップ１１の外周に設けられた環状の凹部としての溝、３０は、表面部が弾性材で構成され、キャップ１１を碍管側構体側に繋止するとともに、碍管１０内の空間の気密性を保持するようにシールするキャップ繋止部材、３０ａは、上記キャップ１１の上記溝１１５内にはめ込まれて接続されるキャップ繋止部材３０の第１の部分、３０ｂは、該キャップ１１と碍管側構体との結合部に密着するキャップ繋止部材３０の環状の第２の部分、３０ｃは、上記第１の部分３０ａと第２の部分３０ｂとを接続するキャップ繋止部材３０の第３の部分である。キャップ繋止部材３０は、第１の部分３０ａと第２の部分３０ｂと第３の部分３０ｃとでキャップ１１を碍管側構体側に繋止し、第２の部分３０ｂで上記キャップ１１と碍管側構体との結合部をシールし、碍管１０内の上記空間の気密性を保持する。４０ａ、４０ｂは、外部から碍管１０内に外部電線を通すために該碍管１０の頭部側部分１０ａの側面に設けられた孔に挿入されたゴム栓、４０１ａ、４０１ｂはそれぞれ、ゴム栓４０ａ、４０ｂに設けられた貫通孔、２３はパッキン材、２００は、ブッシング装置１ａが固定される配電用変圧器のケース、２５０は、ケース２００内に設けられる配電用変圧器の高圧側コイル（以下、変圧器コイルという）、１６は、配電用変圧器の端子部すなわち変圧器コイル２５０の端子部（変圧器端子）のリード線である。外部電線の先端部は、ゴム栓４０ａ、４０ｂの貫通孔４０１ａ、４０１ｂを通って碍管１０内に導入される。配電用変圧器は、ケース２００内において高圧側コイルと低圧側コイルとが鉄心に巻装され、該ケース２００には、高圧側コイルの端子部を外部電線に接続する（した）ブッシング装置１ａが固定された構成である。
【００１３】
図２は、図１のブッシング装置１ａの内部構成を示す図である。
【００１４】
図２において、１２は押え金具、１３は端子金具、１４はボルト、５０は外部電線の芯線、ｇは、押え金具１２の先端面と端子金具１３の対向面との間に形成されるギャップ、１１０は、変圧器端子のリード線１６と外部電線とを接続する接続部を収納する碍管１０内の空間、２２はパッキン材、１５は締付け用ナットである。締付け用ナット１５が締付けられることによりリード線１６が端子金具１３に接続されている。本構成において、押え金具１２、端子金具１３及びボルト１４は、リード線１６と外部電線とを接続する接続部を構成する。本構成では、ボルト１４を回転させて押え金具１２を端子金具１３側に（−Ｚ軸方向に）移動させると、ギャップｇの寸法が縮小し、押え金具１２の先端面が外部電線の芯線５０を端子金具１３側に押し該ギャップｇ内で固定する。該固定により外部電線の芯線５０とリード線１６とが接続される。
【００１５】
また、１１１は、キャップ１１のＺ軸方向中心軸（＝碍管１０のＺ軸方向中心軸）ｃ−ｃに同心状に設けられ、外周面にねじが形成されたねじ部材（以下、キャップ側ねじ部材という）、１０１は、碍管１０のＺ軸方向中心軸（＝キャップ１１のＺ軸方向中心軸）ｃ−ｃに同心状に設けられ、内周面にねじが形成されたねじ部材（以下、碍管側ねじ部材という）、１１２は、キャップ側ねじ部材１１１を固定するために該キャップ側ねじ部材１１１の外周に充填されたセメント材、１０２は、碍管側ねじ部材１０１を固定するために該碍管側ねじ部材１０１の外周に充填されたセメント材である。碍管１０と碍管側ねじ部材１０１は碍管側構体を構成している。
【００１６】
図２において用いた上記以外の符号は、図１の場合と同じ構成要素を示す。
【００１７】
キャップ１１は、上記キャップ側ねじ部材１１１のねじと碍管側ねじ部材１０１のねじとの間の係合、非係合により、碍管側構体に対して着脱されるすなわち、該ねじ相互間が係合状態とされるとき、キャップ１１は碍管側構体に対して装着された状態とされ、該ねじ相互間が非係合状態とされるとき、キャップ１１は碍管側構体に対して取外された状態とされる。
【００１８】
上記構成において、キャップ繋止部材３０の第２の部分３０ｂは、上記碍管側ねじ部材１０１の外周において、キャップ１１と上記碍管側構体との結合部すなわち対向するキャップ１１の端面と碍管１０の頭部端面とに密着して設けられる。また、キャップ繋止部材３０の第３の部分３０ｃは、キャップ１１を碍管側構体に対して着脱する作業が支障なく行われる長さにされている。
【００１９】
以下の説明中で用いるブッシング装置１ａの構成要素には、図１、図２の場合と同じ符号を付して用いる。
【００２０】
図３は、図１のブッシング装置１ａにおけるキャップ１１の構成図である。
【００２１】
図３の構成において、キャップ繋止部材３０の第１の部分３０ａは、キャップ１１の外周の円環状の溝１１５内にはめ込まれ、これによって該キャップ繋止部材３０が該キャップ１１に接続される。該第１の部分３０ａは該溝１１５内へルーズな状態ではめ込まれ、碍管側構体に対してキャップ１１を着脱するためにねじを係合状態または非係合状態にすべくキャップ１１を回転させたとき、第１の部分３０ａが溝１１５内で滑ってキャップ１１とともに回転しないようにしてある。
【００２２】
図４は、図１のブッシング装置１ａにおける碍管側ねじ部材１０１の構成図である。
【００２３】
図４において、碍管側ねじ部材１０１は、そのＺ軸方向先端部の外周に半径方向に突出した凸部１０１ｐを備え、キャップ繋止部材３０の第２の部分３０ｂが該凸部１０１ｐに対し碍管１０側すなわち−Ｚ軸方向側に配されている。該凸部１０１ｐがあることで、キャップ１１が碍管側構体から取外されかつキャップ繋止部材３０の第２の部分３０ｂにＺ軸方向成分の外力が作用した場合にも、該第２の部分３０ｂは、上記碍管側ねじ部材１０１の外周に外れずに保持される。上記第２の部分３０ｂは、キャップ１１と上記碍管側構体との結合部すなわち互いに対向するキャップ１１の端面１１ｔと碍管１０の頭部端面１０ａｔ（セメント材１０２の端面も含む）とに密着して設けられる。該第２の部分３０ｂは、これら端面部をシールして碍管１０内の空間１１０の気密性を保持し、特に外部から空間１１０内に雨水などが浸入しないようにして接続部の劣化を抑える。
【００２４】
図５は、図１のブッシング装置１ａにおけるキャップ繋止部材３０の構成例図である。（ａ）はキャップ繋止部材３０の全体平面を示す図、（ｂ）はキャップ繋止部材３０の断面構造を示す図である。
【００２５】
キャップ繋止部材３０は、少なくとも表面部が、ゴムや合成樹脂などの弾性を有する部材で構成され、キャップ１１の溝１１５内にはめ込まれて接続される環状の第１の部分３０ａと、キャップ１１と碍管側構体との結合部に密着し該部をシールする第２の部分３０ｂと、該第１の部分３０ａと該第２の部分３０ｂとを接続する第３の部分３０ｃとから成る。図５の構成は、第１の部分３０ａと第２の部分３０ｂと第３の部分３０ｃとを、ステンレスなど耐食性の金属を芯線３０１として用い該芯線３０１をゴムや合成樹脂などの弾性を有する部材３０２で覆って成る被覆線材で一体状に形成した場合の例である。表面部を弾性を有する部材３０２で構成することで、第２の部分３０ｂにおけるシール作用が確保され、ステンレスなど耐食性の金属を芯線とすることで長寿命化を図ることができる。なお、芯線３０１や弾性を有する部材３０２の断面形状は円形であってもよいし、円形以外の形状であってもよい。
【００２６】
上記ブッシング装置１ａまたはこれを備えた配電用変圧器によれば、外部電線と配電用変圧器の端子部の接続や接続解除、または接続状態の保守・点検などの作業の際、碍管側から取外したキャップを路上などに落下させてしまうことをなくすことができ、この結果、該落下によって人や物を傷つける危険性やキャップ自体が破損することなどを排除できるとともに、作業者自身も、取外したキャップの保管に気をとられることなく、目的の作業を高所でも安全な状態で行うことが可能となる。
【００２７】
図６〜図７は、本発明の第２の実施例の説明図である。図６は、本発明の第２の実施例としてのブッシング装置の外観図、図７は、図６のブッシング装置の内部構成図である。本第２の実施例のブッシング装置は、キャップを碍管側構体側に繋止するキャップ繋止部材が螺旋状のばねで一体状に構成されている。
【００２８】
図６において、１ｂは、本発明の第２の実施例としてのブッシング装置、１０は、例えばセラミックなどの絶縁材で構成された碍管、１０ａは、碍管１０の頭部側部分、１０ｂは、碍管１０の根元側部分、１０５は、碍管１０の頭部側部分１０ａの外周に形成された環状の凹部である。碍管１０は、その内部に配電用変圧器の端子部と外部電線とを接続する接続部を収納する空間が形成されている。１１は、碍管１０の頭部すなわち碍管１０の頭部側部分１０ａの先端部を覆い該碍管１０を含む碍管側構体に対して着脱可能にされたキャップ、１１６は、キャップ１１の外周に設けられた環状の凹部としての溝、３００は、螺旋状のばねで一体状に構成され、キャップ１１を碍管側構体側に繋止するキャップ繋止部材、３００ａは、上記キャップ１１の上記溝１１６に隙間をもって係合されるキャップ繋止部材３００の第１の部分、３００ｂは、碍管１０の頭部側部分１０ａの外周の凹部１０５に係合されるキャップ繋止部材３００の第２の部分、３００ｃは、上記第１の部分３００ａと第２の部分３００ｂとを接続するキャップ繋止部材３００の第３の部分である。キャップ繋止部材３００は、第１の部分３００ａと第２の部分３００ｂと第３の部分３００ｃとでキャップ１１を碍管側構体側に繋止する。４０ａ、４０ｂは、外部から碍管１０内に外部電線を通すために該碍管１０の頭部側部分１０ａの側面に設けられた孔に挿入されたゴム栓、４０１ａ、４０１ｂはそれぞれ、ゴム栓４０ａ、４０ｂに設けられた貫通孔、２３はパッキン材、２００は、ブッシング装置１ｂが固定される配電用変圧器のケース、２５０は、ケース２００内に設けられる配電用変圧器の高圧側コイル（以下、変圧器コイルという）、１６は、配電用変圧器の端子部すなわち変圧器コイル２５０の端子部（変圧器端子）のリード線である。外部電線の先端部は、ゴム栓４０ａ、４０ｂの貫通孔４０１ａ、４０１ｂを通って碍管１０内に導入される。配電用変圧器は、ケース２００内において高圧側コイルと低圧側コイルとが鉄心に巻装され、該ケース２００には、高圧側コイルの端子部を外部電線に接続したブッシング装置１ｂが固定された構成である。
【００２９】
図７は、図６のブッシング装置１ｂの内部構成を示す図である。
【００３０】
図７において、１２は押え金具、１３は端子金具、１４はボルト、５０は外部電線の芯線、ｇは、押え金具１２の先端面と端子金具１３の対向面との間に形成されるギャップ、１１０は、変圧器端子のリード線１６と外部電線とを接続する接続部を収納するための碍管１０内の空間、２２はパッキン材、１５は締付け用ナットである。締付け用ナット１５が締付けられることによりリード線１６が端子金具１３に接続されている。本構成において、押え金具１２、端子金具１３及びボルト１４は、リード線１６と外部電線とを接続する接続部を構成する。ボルト１４を回転させて押え金具１２を端子金具１３側（−Ｚ軸方向）に移動させると、ギャップｇの寸法が縮小し、押え金具１２の先端面が外部電線の芯線５０を端子金具１３側に押して該ギャップｇ内で該芯線５０を固定する。該固定によって外部電線の芯線５０とリード線１６とが接続される。
【００３１】
また、１１１は、キャップ１１のＺ軸方向中心軸（＝碍管１０のＺ軸方向中心軸）ｃ−ｃに同心状に設けられ、外周面にねじが形成されたねじ部材（以下、キャップ側ねじ部材という）、１０１は、碍管１０のＺ軸方向中心軸ｃ−ｃ（＝キャップ１１のＺ軸方向中心軸）に同心状に設けられ、内周面にねじが形成されたねじ部材（以下、碍管側ねじ部材という）、１１２は、キャップ側ねじ部材１１１を固定するために該キャップ側ねじ部材１１１の外周に充填されたセメント材、１０２は、碍管側ねじ部材１０１を固定するために該碍管側ねじ部材１０１の外周に充填されたセメント材である。碍管１０と碍管側ねじ部材１０１は碍管側構体を構成している。２１は、キャップ１１と碍管側構体との間の結合部をシールし、碍管１０内の空間１１０の気密性を保持するパッキン材である。
【００３２】
キャップ１１は、上記キャップ側ねじ部材１１１のねじと碍管側ねじ部材１０１のねじとの間の係合、非係合により、碍管側構体に対して着脱されるすなわち、該ねじ相互間が係合状態とされるとき、キャップ１１は碍管側構体に対して装着状態とされ、該ねじ相互間が非係合状態とされるとき、キャップ１１は碍管側構体に対して取外された状態となる。
【００３３】
上記図７の構成において、キャップ１１が碍管側構体側に装着されているとき、キャップ繋止部材（ばね）３００の第２の部分３００ｂには、Ｚ軸方向に弾性復元力が作用するようにしてもよいし、または、−Ｚ軸方向に弾性復元力が作用するようにしてもよい。特にＺ軸方向に弾性復元力が作用する構成の場合は、キャップ１１が碍管側構体側から取外されると、上記第２の部分３００ｂは弾性復元力により伸びた状態となり、これによって、キャップ１１を、碍管側構体から所定距離離間した位置であって、外部電線の接続や接続解除などの作業を行う上でじゃまにならない位置に繋止し易い。
【００３４】
キャップ繋止部材３００は、ステンレスなど耐食性の金属で構成されたばねであるとする。これによって長寿命化を図ることが可能となる。なお、該ばねの断面形状は矩形状であってもよいし、矩形以外の形状例えば円形などであってもよい。
【００３５】
上記ブッシング装置１ｂまたはこれを備えた配電用変圧器においても、外部電線と配電用変圧器の端子部の接続や接続解除、または接続状態の保守・点検などの作業の際、碍管側から取外したキャップを路上などに落下させてしまうことをなくすことができ、この結果、該落下によって人や物を傷つける危険性やキャップ自体が破損することなどを排除できるとともに、作業者自身も、取外したキャップの保管に気をとられることなく、目的の作業を安全な状態で行うことが可能となる。
【図面の簡単な説明】
【００３６】
【図１】本発明の第１の実施例としてのブッシング装置の外観図である。
【図２】図１のブッシング装置の内部構成図である。
【図３】図１のブッシング装置におけるキャップの構成図である。
【図４】図１のブッシング装置における碍管側構体のねじ部材の構成図である。
【図５】図１のブッシング装置におけるキャップ繋止部材の構成図である。
【図６】本発明の第２の実施例としてのブッシング装置の外観図である。
【図７】図６のブッシング装置の内部構成図である。
【図８】従来のブッシング装置の断面構成例を示す図である。
【符号の説明】
【００３７】
１ａ、１ｂ、１'…ブッシング装置、
１０、１０'…碍管、
１０ａ、１０ａ'…碍管の頭部側部分、
１０ｂ、１０ｂ'…碍管１の根元側部分、
１０１、１１１、１０１'、１１１'…ねじ部材、
１０２、１１２…セメント材、
１０５…凹部、
１１０…碍管内の空間、
１１、１１'…キャップ、
１１５、１１６…溝、
１６、１６'…リード線、
１２、１２'…押え金具、
１３、１３'…端子金具、
１４、１４'…ボルト、
１５、１５'…締付け用ナット、
２１、２２、２３…パッキン材、
３０、３００…キャップ繋止部材、
３０ａ、３００ａ…キャップ繋止部材の第１の部分、
３０ｂ、３００ｂ…キャップ繋止部材の第２の部分、
３０ｃ、３００ｃ…キャップ繋止部材の第３の部分、
４０ａ、４０ｂ、４０'…ゴム栓、
４０１ａ、４０１ｂ、４０１'…貫通孔、
２００…配電用変圧器のケース、
２５０…配電用変圧器の高圧側コイル、
５０、５０'…外部電線の芯線、
ｇ、ｇ'…ギャップ。
【図１】
2009238441.tif 000003
【図２】
2009238441.tif 000004
【図３】
2009238441.tif 000005
【図４】
2009238441.tif 000006
【図５】
2009238441.tif 000007
【図６】
2009238441.tif 000008
【図７】
2009238441.tif 000009
【図８】
2009238441.tif 000010